(57)【要約】【課題】内視鏡や顕微鏡などの医療用観察装置を使用している際にも光源装置から出射される光の光量を検出することができる医療用光源装置を提供すること。【解決手段】本発明の医療用光源装置は、光を出射する第１の出射部と、第１の出射部から出射される光の光路上に設けられ、第１の出射部が出射する光の一部を第１の方向に出射し、その他の光を第１の方向とは異なる第２の方向に出射する光学部材と、光学部材により第１の方向に出射された光の光路上に設けられ、かつ入射された光を導光して外部に出射する照明光学系と、光学部材によって第２の方向に出射された光の光路上に配置され、入射される光の光量を検知する検知部と、検知部において検知された光量に応じて、第１の出射部から出射される光の光路を変化させる光路変更部と、を備える。【選択図】図２
2020141907.tif 000002
【特許請求の範囲】
【請求項１】
光を出射する第１の出射部と、
前記第１の出射部から出射される光の光路上に設けられ、前記第１の出射部が出射する光の一部を第１の方向に出射し、その他の光を前記第１の方向とは異なる第２の方向に出射する光学部材と、
前記光学部材により前記第１の方向に出射された光の光路上に設けられ、かつ入射された光を導光して外部に出射する照明光学系と、
前記光学部材によって前記第２の方向に出射された光の光路上に配置され、入射される光の光量を検知する検知部と、
前記検知部において検知された光量に応じて、前記第１の出射部から出射される光の光路を変化させる光路変更部と、
を備えることを特徴とする医療用光源装置。
【請求項２】
前記第１の出射部と前記光学部材との間に設けられ、前記第１の出射部が出射した光を折り曲げて、前記光学部材に導光する折り曲げ光学系、
をさらに備え、
前記第１の出射部は、所定の波長帯域の光を発する発光体、および該発光体の光を前記光学部材に導光する光ファイバを有する光源を有し、
前記光路変更部は、前記折り曲げ光学系による光の折り曲げ態様を変更する
ことを特徴とする請求項１に記載の医療用光源装置。
【請求項３】
前記第１の出射部は、所定の波長帯域の光を発する発光体、および該発光体の光を前記光学部材に導光する光ファイバを有する光源を有し、
前記光路変更部は、前記第１の出射部による光の出射方向を変更する
ことを特徴とする請求項１に記載の医療用光源装置。
【請求項４】
前記第１の出射部は、
所定の波長帯域の光を発する第１の発光体、および該第１の発光体の光を前記光学部材に導光する第１の光ファイバを有する第１の光源と、
前記第１の光源が発する光の波長帯域とは異なる波長帯域の光を発する第２の発光体、および該第２の発光体の光を前記光学部材に導光する第２の光ファイバを有する第２の光源と、
を有し、
前記光学部材は、前記第１の光源および前記第２の光源が出射した光の一部の光を前記第２の方向に出射する
ことを特徴とする請求項１に記載の医療用光源装置。
【請求項５】
前記光学部材は、前記第１の光源および前記第２の光源が出射する光の波長帯域のうちの一部の波長帯域の光を前記第２の方向に出射する
ことを特徴とする請求項４に記載の医療用光源装置。
【請求項６】
前記光学部材は、前記第１の光源および前記第２の光源が出射する光のうちの所定の割合の光を前記第２の方向に出射する
ことを特徴とする請求項４に記載の医療用光源装置。
【請求項７】
第１の出射部が出射する光よりも位相のばらつきが大きい光を出射する第２の出射部と、
前記第１の出射部が出射する光と前記第２の出射部が出射する光とを合波し、前記照明光学系に入射させる合成部材と、
をさらに備え、
前記光学部材は、前記合成部材の前段に設けられる
ことを特徴とする請求項１に記載の医療用光源装置。
【請求項８】
前記光路変更部の前記光路の前段に設けられ、該光路が挿通する、予め設定された径の孔部が形成されたピンホール、
をさらに備えることを特徴とする請求項１に記載の医療用光源装置。
【発明の詳細な説明】
【技術分野】
【０００１】
本発明は、医療用光源装置に関する。
【背景技術】
【０００２】
従来、医療分野や工業用分野において、撮像素子を用いて被写体像を撮像する内視鏡装置や、医療用顕微鏡装置などの医療装置が知られている（例えば、特許文献１参照）。このうち、内視鏡装置は、例えば、内視鏡と、撮像装置と、表示装置と、制御装置（画像処理装置）と、光源装置とを備える。内視鏡装置では、内視鏡に接続されるライトガイドを介して光源装置から照明光が供給され、照明光を照射して被写体像を撮像する。
【０００３】
光源装置は、光源と、光源からの光を導光する光学系と、発光体および該発光体の光を光学系に導光する光ファイバを有する光源とを備える。この光ファイバは、出射端面を保護するため、光出射側の先端面を研磨によって凸形状や傾斜面、斜め球面状にして、自身が出射した光の戻り光の入射を抑制している。しかしながら、光ファイバの先端面が、ファイバの長手方向に対して傾斜しているため、光量がけられ、出射すべき光量が確保できない場合がある。この問題に対し、特許文献１には、光量を検出する検出部を光路上に設けて、光源装置から出射される光の光量を制御することが記載されている。
【先行技術文献】
【特許文献】
【０００４】
【特許文献１】特開２０１６−２０２４４１号公報
【発明の概要】
【発明が解決しようとする課題】
【０００５】
しかしながら、特許文献１に記載の検出部は、光源装置の外部に設けられ、検出部を光路に配置して検出処理を行うため、光量の検出を内視鏡による観察中に使用することができない。また、特許文献１のように別の部材によって検出部を設けると、システム全体の構成が複雑化する。
【０００６】
本発明は、上記に鑑みてなされたものであって、医療装置を使用している際にも光源装置から出射される光の光量を検出することができる医療用光源装置を提供することを目的とする。
【課題を解決するための手段】
【０００７】
上述した課題を解決し、目的を達成するために、本発明にかかる医療用光源装置は、光を出射する第１の出射部と、前記第１の出射部から出射される光の光路上に設けられ、前記第１の出射部が出射する光の一部を第１の方向に出射し、その他の光を前記第１の方向とは異なる第２の方向に出射する光学部材と、前記光学部材により前記第１の方向に出射された光の光路上に設けられ、かつ入射された光を導光して外部に出射する照明光学系と、前記光学部材によって前記第２の方向に出射された光の光路上に配置され、入射される光の光量を検知する検知部と、前記検知部において検知された光量に応じて、前記第１の出射部から出射される光の光路を変化させる光路変更部と、を備えることを特徴とする。
【０００８】
また、本発明にかかる医療用光源装置は、上記発明において、前記第１の出射部と前記光学部材との間に設けられ、前記第１の出射部が出射した光を折り曲げて、前記光学部材に導光する折り曲げ光学系、をさらに備え、前記第１の出射部は、所定の波長帯域の光を発する発光体、および該発光体の光を前記光学部材に導光する光ファイバを有する光源を有し、前記光路変更部は、前記折り曲げ光学系による光の折り曲げ態様を変更することを特徴とする。
【０００９】
また、本発明にかかる医療用光源装置は、上記発明において、前記第１の出射部は、所定の波長帯域の光を発する発光体、および該発光体の光を前記光学部材に導光する光ファイバを有する光源を有し、前記光路変更部は、前記第１の出射部による光の出射方向を変更することを特徴とする。
【００１０】
また、本発明にかかる医療用光源装置は、上記発明において、前記第１の出射部は、所定の波長帯域の光を発する第１の発光体、および該第１の発光体の光を前記光学部材に導光する第１の光ファイバを有する第１の光源と、前記第１の光源が発する光の波長帯域とは異なる波長帯域の光を発する第２の発光体、および該第２の発光体の光を前記光学部材に導光する第２の光ファイバを有する第２の光源と、を有し、前記光学部材は、前記第１の光源および前記第２の光源が出射した光の一部の光を前記第２の方向に出射することを特徴とする。
【００１１】
また、本発明にかかる医療用光源装置は、上記発明において、前記光学部材は、前記第１の光源および前記第２の光源が出射する光の波長帯域のうちの一部の波長帯域の光を前記第２の方向に出射することを特徴とする。
【００１２】
また、本発明にかかる医療用光源装置は、上記発明において、前記光学部材は、前記第１の光源および前記第２の光源が出射する光のうちの所定の割合の光を前記第２の方向に出射することを特徴とする。
【００１３】
また、本発明にかかる医療用光源装置は、上記発明において、第１の出射部が出射する光よりも位相のばらつきが大きい光を出射する第２の出射部と、前記第１の出射部が出射する光と前記第２の出射部が出射する光とを合波し、前記照明光学系に入射させる合成部材と、をさらに備え、前記光学部材は、前記合成部材の前段に設けられることを特徴とする。
【００１４】
また、本発明にかかる医療用光源装置は、上記発明において、前記光路変更部の前記光路の前段に設けられ、該光路が挿通する、予め設定された径の孔部が形成されたピンホール、をさらに備えることを特徴とする。
【発明の効果】
【００１５】
本発明によれば、医療装置を使用している際にも光源装置から出射される光の光量を検出することができるという効果を奏する。
【図面の簡単な説明】
【００１６】
【図１】図１は、本発明の実施の形態１にかかる内視鏡装置の概略構成を示す図である。
【図２】図２は、図１に示したカメラヘッド及び制御装置の構成を示すブロック図である。
【図３】図３は、図１に示した光源装置の構成を示す図である。
【図４】図４は、光源装置の構成を示す図であって、光軸調整前の状態を示す図である。
【図５】図５は、本発明の実施の形態１にかかる内視鏡装置が行う照明光の制御について説明する図である。
【図６】図６は、本発明の実施の形態２にかかる内視鏡装置が備える光源装置の構成を示す図である。
【図７】図７は、本発明の実施の形態３にかかる内視鏡装置が備える光源装置の構成を示す図である。
【図８】図８は、本発明の実施の形態４にかかる内視鏡装置が備える光源装置の構成を示す図である。
【図９】図９は、本発明の実施の形態４にかかる光源装置が出射する光の波長を説明する図である。
【図１０】図１０は、本発明の実施の形態５にかかる内視鏡装置が備える光源装置の構成を示す図である。
【発明を実施するための形態】
【００１７】
以下、本発明を実施するための形態（以下、「実施の形態」という）を説明する。実施の形態では、本発明にかかる医療用光源装置を備えるシステムの一例として、患者等の被検体内の画像を撮像して表示する医療用の内視鏡装置について説明する。また、この実施の形態により、この発明が限定されるものではない。さらに、図面の記載において、同一部分には同一の符号を付して説明する。
【００１８】
（実施の形態１）
図１は、本発明の実施の形態１にかかる内視鏡装置１の概略構成を示す図である。内視鏡装置１は、医療分野において用いられ、人等の観察対象物の内部（生体内）の被写体を観察する装置である。この内視鏡装置１は、図１に示すように、内視鏡２と、撮像装置３と、表示装置４と、制御装置５（画像処理装置）と、光源装置６とを備え、撮像装置３と制御装置５とで、医療用観察システムを構成している。なお、本実施の形態１では、内視鏡２及び撮像装置３により、例えば硬性鏡等の内視鏡を用いた画像取得装置を構成している。
【００１９】
光源装置６は、ライトガイド７の一端が接続され、当該ライトガイド７の一端に生体内を照明するための例えば白色光を供給する光源部６１と、光源部６１による照明光の出射を制御する光源制御部６２と、を有する。光源装置６の構成については後述する。なお、光源装置６と制御装置５とは、図１に示すように別体とし相互に通信する構成としてもよいし、一体化した構成であってもよい。光源制御部６２は、光路変更部に相当する。
【００２０】
ライトガイド７は、一端が光源装置６に着脱自在に接続されるとともに、他端が内視鏡２に着脱自在に接続される。そして、ライトガイド７は、光源装置６から供給された光を一端から他端に伝達し、内視鏡２に供給する。
【００２１】
撮像装置３は、内視鏡２からの被写体像を撮像して当該撮像結果を出力する。この撮像装置３は、図１に示すように、信号伝送部である伝送ケーブル８と、カメラヘッド９とを備える。本実施の形態１では、伝送ケーブル８とカメラヘッド９とにより医療用撮像装置が構成される。
【００２２】
内視鏡２は、硬質で細長形状を有し、生体内に挿入される。この内視鏡２の内部には、１または複数のレンズを用いて構成され、被写体像を集光する観察光学系が設けられている。内視鏡２は、ライトガイド７を介して供給された光を先端から出射し、生体内に照射する。そして、生体内に照射された光（被写体像）は、内視鏡２内の観察光学系（レンズユニット９１）により集光される。
【００２３】
カメラヘッド９は、内視鏡２の基端に着脱自在に接続される。そして、カメラヘッド９は、制御装置５による制御の下、内視鏡２にて集光された被写体像を撮像し、当該撮像による撮像信号を出力する。なお、カメラヘッド９の詳細な構成については、後述する。内視鏡２とカメラヘッド９とは、図１に示すように着脱自在に構成してもよいし、一体化した構成であってもよい。
【００２４】
伝送ケーブル８は、一端がコネクタを介して制御装置５に着脱自在に接続されるとともに、他端がコネクタを介してカメラヘッド９に着脱自在に接続される。具体的に、伝送ケーブル８は、最外層である外被の内側に複数の電気配線（図示略）が配設されたケーブルである。当該複数の電気配線は、カメラヘッド９から出力される撮像信号を制御装置５に、制御装置５から出力される制御信号、同期信号、クロック、及び電力をカメラヘッド９にそれぞれ伝送するための電気配線である。
【００２５】
表示装置４は、制御装置５による制御のもと、制御装置５により生成された画像を表示する。表示装置４は、観察時の没入感を得やすくするために、表示部が５５インチ以上を有するものが好ましいが、これに限らない。
【００２６】
制御装置５は、カメラヘッド９から伝送ケーブル８を経由して入力された撮像信号を処理し、表示装置４へ画像信号を出力するとともに、カメラヘッド９及び表示装置４の動作を統括的に制御する。なお、制御装置５の詳細な構成については、後述する。
【００２７】
次に、撮像装置３及び制御装置５の構成について説明する。図２は、カメラヘッド９及び制御装置５の構成を示すブロック図である。なお、図２では、カメラヘッド９及び伝送ケーブル８同士を着脱可能とするコネクタの図示を省略している。
【００２８】
以下、制御装置５の構成、及びカメラヘッド９の構成の順に説明する。なお、以下では、制御装置５の構成として、本発明の要部を主に説明する。制御装置５は、図２に示すように、信号処理部５１と、画像処理部５２と、通信モジュール５３と、入力部５４と、出力部５５と、制御部５６と、メモリ５７とを備える。なお、制御装置５には、制御装置５及びカメラヘッド９を駆動するための電源電圧を生成し、制御装置５の各部にそれぞれ供給するとともに、伝送ケーブル８を介してカメラヘッド９に供給する電源部（図示略）などが設けられていてもよい。
【００２９】
信号処理部５１は、カメラヘッド９が出力した撮像信号に対してノイズ除去や、必要に応じてＡ／Ｄ変換等の信号処理を行うことによって、デジタル化された撮像信号（パルス信号）を画像処理部５２に出力する。
【００３０】
また、信号処理部５１は、撮像装置３及び制御装置５の同期信号、及びクロックを生成する。撮像装置３への同期信号（例えば、カメラヘッド９の撮像タイミングを指示する同期信号等）やクロック（例えばシリアル通信用のクロック）は、図示しないラインで撮像装置３に送られ、この同期信号やクロックを基に、撮像装置３は駆動する。
【００３１】
画像処理部５２は、信号処理部５１から入力される撮像信号をもとに、表示装置４が表示する表示用の画像信号を生成する。画像処理部５２は、撮像信号に対して、所定の信号処理を実行して被写体画像を含む表示用の画像信号を生成する。ここで、画像処理部５２は、検波処理や、補間処理、色補正処理、色強調処理、及び輪郭強調処理等の各種画像処理等の公知の画像処理を行う。画像処理部５２は、生成した画像信号を表示装置４に出力する。
【００３２】
通信モジュール５３は、制御部５６から送信された後述する制御信号を含む制御装置５からの信号を撮像装置３に出力する。また、撮像装置３からの信号を制御装置５内の各部に出力する。つまり通信モジュール５３は、撮像装置３へ出力する制御装置５の各部からの信号を、例えばパラレルシリアル変換等によりまとめて出力し、また撮像装置３から入力される信号を、例えばシリアルパラレル変換等により振り分けて制御装置５の各部に出力する、中継デバイスである。
【００３３】
入力部５４は、キーボード、マウス、タッチパネル等のユーザインタフェースを用いて実現され、各種情報の入力を受け付ける。
【００３４】
出力部５５は、スピーカーやプリンタ、ディスプレイ等を用いて実現され、各種情報を出力する。出力部５５は、制御部５６の制御のもと、アラーム音声、アラーム光の出力や、画像表示を行う。
【００３５】
制御部５６は、制御装置５及びカメラヘッド９を含む各構成部の駆動制御、及び各構成部に対する情報の入出力制御などを行う。制御部５６は、メモリ５７に記録されている通信情報データ（例えば、通信用フォーマット情報など）を参照して制御信号を生成し、該生成した制御信号を、通信モジュール５３を介して撮像装置３へ送信する。また、制御部５６は、伝送ケーブル８を介して、カメラヘッド９に対して制御信号を出力する。
【００３６】
メモリ５７は、フラッシュメモリやＤＲＡＭ（Dynamic  Random  Access  Memory）等の半導体メモリを用いて実現され、通信情報データ（例えば、通信用フォーマット情報など）が記録されている。なお、メモリ５７は、制御部５６が実行する各種プログラム等が記録されていてもよい。
【００３７】
なお、信号処理部５１が、入力されたフレームの撮像信号を基に、各フレームの所定のＡＦ用評価値を出力するＡＦ処理部、及び、ＡＦ処理部からの各フレームのＡＦ用評価値から、最も合焦位置として適したフレームまたはフォーカスレンズ位置等を選択するようなＡＦ演算処理を行うＡＦ演算部を有していてもよい。
【００３８】
上述した信号処理部５１、画像処理部５２、通信モジュール５３及び制御部５６は、プログラムが記録された内部メモリ（図示略）を有するＣＰＵ（Central  Processing  Unit）等の汎用プロセッサやＡＳＩＣ（Application  Specific  Integrated  Circuit）等の特定の機能を実行する各種演算回路等の専用プロセッサを用いて実現される。また、プログラマブル集積回路の一種であるＦＰＧＡ(Field  Programmable  Gate  Array：図示略)を用いて構成するようにしてもよい。なお、ＦＰＧＡにより構成される場合は、コンフィグレーションデータを記憶するメモリを設け、メモリから読み出したコンフィグレーションデータにより、プログラマブル集積回路であるＦＰＧＡをコンフィグレーションしてもよい。
【００３９】
次に、カメラヘッド９の構成として、本発明の要部を主に説明する。カメラヘッド９は、図２に示すように、レンズユニット９１と、撮像部９２と、通信モジュール９３と、カメラヘッド制御部９４とを備える。
【００４０】
レンズユニット９１は、１または複数のレンズを用いて構成され、レンズユニット９１を通過した被写体像を、撮像部９２を構成する撮像素子の撮像面に結像する。当該１または複数のレンズは、光軸に沿って移動可能に構成されている。そして、レンズユニット９１には、当該１または複数のレンズを移動させて、画角を変化させる光学ズーム機構（図示略）や焦点位置を変化させるフォーカス機構が設けられている。なお、レンズユニット９１は、内視鏡２において設けられる光学系とともに、内視鏡２に入射した観察光を撮像部９２に導光する観察光学系を形成する。
【００４１】
撮像部９２は、カメラヘッド制御部９４による制御の下、被写体を撮像する。この撮像部９２は、レンズユニット９１が結像した被写体像を受光して電気信号に変換する撮像素子を用いて構成されている。撮像素子は、ＣＣＤ（Charge  Coupled  Device）イメージセンサまたはＣＭＯＳ（Complementary  Metal  Oxide  Semiconductor）イメージセンサにより構成される。撮像素子がＣＣＤの場合は、例えば、当該撮像素子からの電気信号（アナログ信号）に対して信号処理（Ａ／Ｄ変換等）を行って撮像信号を出力する信号処理部（図示略）がセンサチップなどに実装される。撮像素子がＣＭＯＳの場合は、例えば、光から電気信号に変換された電気信号（アナログ信号）に対して信号処理（Ａ／Ｄ変換等）を行って撮像信号を出力する信号処理部（図示略）が撮像素子に含まれる。撮像部９２は、生成した電気信号を通信モジュール９３に出力する。
【００４２】
通信モジュール９３は、制御装置５から送信された信号をカメラヘッド制御部９４等のカメラヘッド９内の各部に出力する。また、通信モジュール９３は、カメラヘッド９の現在の状態に関する情報などを予め決められた伝送方式に応じた信号形式に変換し、伝送ケーブル８を介して当該変換した信号を制御装置５に出力する。つまり通信モジュール９３は、制御装置５や伝送ケーブル８から入力される信号を、例えばシリアルパラレル変換等により振り分けてカメラヘッド９の各部に出力し、また制御装置５や伝送ケーブル８へ出力するカメラヘッド９の各部からの信号を、例えばパラレルシリアル変換等によりまとめて出力する、中継デバイスである。
【００４３】
カメラヘッド制御部９４は、伝送ケーブル８を介して入力した駆動信号や、カメラヘッド９の外面に露出して設けられたスイッチ等の操作部へのユーザ操作により操作部から出力される指示信号等に応じて、カメラヘッド９全体の動作を制御する。また、カメラヘッド制御部９４は、伝送ケーブル８を介して、カメラヘッド９の現在の状態に関する情報を制御装置５に出力する。
【００４４】
なお、上述した通信モジュール９３及びカメラヘッド制御部９４は、プログラムが記録された内部メモリ（図示略）を有するＣＰＵ等の汎用プロセッサやＡＳＩＣ等の特定の機能を実行する各種演算回路等の専用プロセッサを用いて実現される。また、プログラマブル集積回路の一種であるＦＰＧＡを用いて構成するようにしてもよい。ここで、ＦＰＧＡにより構成される場合は、コンフィグレーションデータを記憶するメモリを設け、メモリから読み出したコンフィグレーションデータにより、プログラマブル集積回路であるＦＰＧＡをコンフィグレーションしてもよい。
【００４５】
また、カメラヘッド９や伝送ケーブル８に、通信モジュール９３や撮像部９２により生成された撮像信号に対して信号処理を施す信号処理部を構成するようにしてもよい。さらに、カメラヘッド９内部に設けられた発振器（図示略）で生成された基準クロックに基づいて、撮像部９２を駆動するための撮像用クロック、及びカメラヘッド制御部９４のための制御用クロックを生成し、撮像部９２及びカメラヘッド制御部９４にそれぞれ出力するようにしてもよいし、伝送ケーブル８を介して制御装置５から入力した同期信号に基づいて、撮像部９２及びカメラヘッド制御部９４における各種処理のタイミング信号を生成し、撮像部９２及びカメラヘッド制御部９４にそれぞれ出力するようにしてもよい。また、カメラヘッド制御部９４をカメラヘッド９ではなく伝送ケーブル８や制御装置５に設けてもよい。
【００４６】
続いて、光源装置６の構成について、図３を参照して説明する。図３は、図１に示した光源装置の構成を示す図である。光源部６１は、出射部６１１と、第１ミラー６１２と、第２ミラー６１３と、ピンホール６１４と、反射フィルタ６１５と、集光レンズ６１６と、検知部６１７とを備える。これらの各部は、光源装置６を構成する筐体の内部に設けられる。本実施の形態１において、出射部６１１は第１の出射部に相当し、第１ミラー６１２および第２ミラー６１３は折り曲げ光学系に相当し、集光レンズ６１６が照明光学系に相当し、反射フィルタ６１５は光学部材に相当する。
【００４７】
出射部６１１は、レーザ光源６１１ａと、光ファイバ６１１ｂとによって構成され、レーザ光源６１１ａが出射した白色光（レーザ光）が光ファイバ６１１ｂの一端に導光され、光ファイバ６１１ｂの他端から出射される。
【００４８】
第１ミラー６１２および第２ミラー６１３は、入射する光を反射する。第１ミラー６１２は、出射部６１１（光ファイバ６１１ｂ）から出射された光を反射する。第２ミラー６１３は、第１ミラー６１２が反射した光が入射し、その入射した光を反射する。第１ミラー６１２および第２ミラー６１３は、光源制御部６２の制御のもと、反射面の向きを変更することが可能である。例えば、第１ミラー６１２および第２ミラー６１３は、互いに異なる方向、例えば互いに直交する方向にそれぞれ延びる軸に対して角度が調整される。第１ミラー６１２および第２ミラー６１３の角度調整には、例えばピエゾモータが用いられる。
【００４９】
ピンホール６１４は、第２ミラー６１３が反射した光が通過する。ピンホール６１４には、予め設定された径の孔部が形成されている。
【００５０】
反射フィルタ６１５は、光路を進行する光の一部を、光路の延伸方向とは異なる方向に折り曲げ、残りの光を通過させる。本実施の形態１において、反射フィルタ６１５は、予め設定される割合の光を反射し、残りの光を通過させる。本実施の形態１において、反射フィルタ６１５は、２％の光を反射し、９８％の光を通過させる。反射フィルタ６１５は、光路において、ピンホール６１４より後段、かつ集光レンズ６１６の前段に設けられる。
【００５１】
集光レンズ６１６は、一つまたは複数のレンズを用いて構成され、反射フィルタ６１５を通過した光を集光して、ライトガイド７に光を供給する。
【００５２】
検知部６１７は、光センサを用いて構成され、反射フィルタ６１５が反射した光を受光して電気信号に変換する。検知部６１７が生成した電気信号は、光源制御部６２に出力される。
【００５３】
以上説明した光源部６１では、出射部６１１から出射された光が、第１ミラー６１２および第２ミラー６１３によって反射され、ピンホール６１４を通過する。ピンホール６１４を通過した光は、反射フィルタ６１５に入射し、入射した光の９８％が通過し、２％が検知部６１７に反射される。反射フィルタ６１５を通過した光は、集光レンズ６１６によって集光され、ライトガイド７に入射する。一方、検知部６１７に入射した光は、光量に応じた値を示す電気信号（信号値）に変換される。
【００５４】
光源制御部６２は、検知部６１７から電気信号を受け取ると、信号値と、予め設定されている閾値とをもとに、第１ミラー６１２および第２ミラー６１３の調整の要否を判断する。例えば、光源制御部６２は、信号値と閾値との差分を算出し、差分に応じて第１ミラー６１２および第２ミラー６１３の調整の要否を判断する。閾値は、例えば、出射部６１１（レーザ光源６１１ａ）の出力と、ピンホール６１４を通過する光量と、反射フィルタ６１５の反射特性とから予測される最大受光光量に対応する値が設定される。最大受光光量は、光路を進行する光の光軸がベスト位置を通過する場合に検出される光量である。ベスト位置は、例えば、光軸が、ピンホール６１４（孔部）の中心を通過する位置である。この最大受光光量は、目標光量に相当する。
光源制御部６２は、第１ミラー６１２および第２ミラー６１３の調整が必要であると判断した場合、差分の大きさに応じて、第１ミラー６１２および／または第２ミラー６１３の角度を変化させる。第１ミラー６１２と第２ミラー６１３とは、予め両者の動きが対応付けられている。光源制御部６２は、一度の角度変更処理で目標光量に達しなかった場合は、繰り返し角度変更処理を実施することによって最大受光光量が得られる角度に調整する。
【００５５】
図４は、光源装置の構成を示す図であって、光軸調整前の状態を示す図である。図４に示すように、光路がずれている場合、検知部６１７や集光レンズ６１６に入射する光量が少なかったり、検知部６１７や集光レンズ６１６に光が入射しなかったりすると、光源装置６からライトガイド７に供給する光量が設定量に満たない。この場合、光源制御部６２が、検知部６１７から電気信号に基づいて、第１ミラー６１２および／または第２ミラー６１３の角度を変化させる。図４に示す例では、第１ミラー６１２のみの角度を変化させている（第１ミラー６１２に重畳される破線参照）。光源制御部６２の制御のもとで第１ミラー６１２の角度が変化することによって、出射部６１１から出射された光の光軸が調整される（図３参照）。
【００５６】
図５は、本発明の実施の形態１にかかる内視鏡装置が行う照明光の制御について説明する図である。出射部６１１（光ファイバ６１１ｂ）の光出射端部の形状によって、出射された光の光軸が光ファイバの長手方向に対して傾斜しているなど、光の光軸が、本来光軸が通るべき光路の中心（軸Ｎ）に対してずれている場合、光の分布（図５に示す分布Ｃ1）のピークが、軸Ｎに対してずれる。光の分布（光軸）がずれたまま光路を進むと、ピンホール６１４で光が必要以上にけられたり、集光レンズ６１６で集光されない光が生じたりするなど、照明光としての強度が確保できない場合がある。本実施の形態１では、検知部６１７の検知結果をもとに、光源制御部６２が第１ミラー６１２および第２ミラー６１３の角度を変更する。これにより、光の分布のピークが軸Ｎ側に移動する（図５に示す分布Ｃ2）。このようにして、光の光軸を、本来通過すべき光路に近付くように制御するため、照明光としての強度が確保されるように調整することができる。
【００５７】
上述した実施の形態１は、反射フィルタ６１５を用いて、集光レンズ６１６に導光する光の一部を検知部６１７に入射させるようにしたので、内視鏡を使用している際にも光源装置６から出射される光の光量を検出することができる。
【００５８】
また、上述した実施の形態１によれば、検知部６１７の検知結果に基づいて、第１ミラー６１２および第２ミラー６１３の角度を制御するようにしたので、光の光軸が、本来通過すべき光路に近付くように制御され、照明光としての強度が確保されるように調整することができる。
【００５９】
（実施の形態２）
続いて、本発明の実施の形態２について説明する。図６は、本発明の実施の形態２にかかる内視鏡装置が備える光源装置の構成を示す図である。本実施の形態２において、光源部６１の構成以外は、上述した実施の形態１の内視鏡装置１と同じであるため、説明を省略する。
【００６０】
図６に示す光源部は、出射部６１１Ａと、第１ミラー６１２と、第２ミラー６１３と、反射フィルタ６１５Ａと、集光レンズ６１６と、検知部６１７とを備える。本実施の形態２にかかる光源部は、実施の形態１にかかる光源部６１に対して出射部６１１Ａが出射する光と、反射フィルタ６１５Ａの反射特性とが異なる。それ以外の構成は、実施の形態１と同じである。以下、実施の形態１とは異なる部分について説明する。なお、本実施の形態２において、出射部６１１Ａは第１の出射部に相当し、反射フィルタ６１５Ａは光学部材に相当する。
【００６１】
出射部６１１Ａは、レーザ光源６１１ｃと、光ファイバ６１１ｄとによって構成され、レーザ光源６１１ｃが出射した光（レーザ光）が光ファイバ６１１ｄの一端に導光され、光ファイバ６１１ｄの他端から出射される。出射部６１１Ａは、５００ｎｍ以上７００ｎｍ以下の波長帯域の光（赤外光）を出射する。
【００６２】
反射フィルタ６１５Ａは、予め設定される波長以下の光を反射する。本実施の形態２において、反射フィルタ６１５Ａは、６００ｎｍ以下の光を反射し、６００ｎｍより大きい波長の光を通過させる。
【００６３】
検知部６１７は、反射フィルタ６１５Ａが反射した光を受光して電気信号に変換する。検知部６１７が生成した電気信号は、光源制御部６２に出力される。
【００６４】
光源制御部６２は、検知部６１７から電気信号を受け取ると、信号値と、予め設定されている閾値とをもとに、第１ミラー６１２および第２ミラー６１３の調整の要否を判断する。例えば、光源制御部６２は、信号値と閾値との差分を算出し、差分に応じて第１ミラー６１２および第２ミラー６１３の調整の要否を判断する。閾値は、例えば、出射部６１１Ａ（レーザ光源６１１ｃ）の出力と、反射フィルタ６１５Ａの反射特性とから予測される、波長帯域が５００ｎｍ以上６００ｎｍ以下の光の最大受光光量に対応する値が設定される。具体的に、光源制御部６２は、差分の大きさに応じて、第１ミラー６１２および／または第２ミラー６１３の角度を変化させる。第１ミラー６１２と第２ミラー６１３とは、予め両者の動きが対応付けられている。
【００６５】
上述した実施の形態２は、反射フィルタ６１５を用いて、集光レンズ６１６に導光する光の一部を検知部６１７に入射させるようにしたので、内視鏡を使用している際にも光源装置６から出射される光の光量を検出することができる。
【００６６】
また、上述した実施の形態２によれば、実施の形態１と同様に、検知部６１７の検知結果に基づいて、第１ミラー６１２および第２ミラー６１３の角度を制御するようにしたので、光の光軸が、本来通過すべき光路に近付くように制御され、照明光としての強度が確保されるように調整することができる。
【００６７】
なお、上述した実施の形態２において、内視鏡２から白色光を出射する場合は、上述した実施の形態１にかかる光源部６１を別途設けてもよいし、白色光を出射する光源からライトガイドに直接白色光が供給される構成としてもよい。白色光を出射する光源は、レーザ光源に限らず、ＬＥＤ（Light  Emitting  Diode）光源等の半導体光源を用いて構成してもよい。
【００６８】
（実施の形態３）
続いて、本発明の実施の形態３について説明する。図７は、本発明の実施の形態３にかかる内視鏡装置が備える光源装置の構成を示す図である。本実施の形態３において、光源部６１の構成以外は、上述した実施の形態１の内視鏡装置１と同じであるため、説明を省略する。
【００６９】
図７に示す光源部は、第１出射部６３１と、第１ミラー６３２と、第２ミラー６３３と、ピンホール６３４と、第１反射フィルタ６３５と、第１コリメートレンズ６３６と、検知部６３７と、第２反射フィルタ６３８と、集光レンズ６３９と、第２出射部６４０と、第２コリメートレンズ６４１と、を備える。本実施の形態３において、第１出射部６３１は第１の出射部に相当し、第１ミラー６３２および第２ミラー６３３は折り曲げ光学系に相当し、集光レンズ６３９が照明光学系に相当し、第１反射フィルタ６３５は光学部材に相当し、第２出射部６４０は第２の出射部に相当する。第１コリメートレンズ６３６や、第２反射フィルタ、第２コリメートレンズ６４１は、形成する光学系に応じて適宜配置される。
【００７０】
第１出射部６３１は、レーザ光源６３１ａと、光ファイバ６３１ｂとによって構成され、レーザ光源６３１ａが出射した光（レーザ光）が光ファイバ６３１ｂの一端に導光され、光ファイバ６３１ｂの他端から出射される。第１出射部６３１は、５００ｎｍ以上７００ｎｍ以下の波長帯域の光（赤外光）を出射する。
【００７１】
第１ミラー６３２および第２ミラー６３３は、入射する光を反射する。第１ミラー６３２は、第１出射部６３１（光ファイバ６３１ｂ）から出射された光を反射する。第２ミラー６３３は、第１ミラー６３２が反射した光が入射し、その入射した光を反射する。第１ミラー６３２および第２ミラー６３３は、光源制御部６２の制御のもと、反射面の向きを変更することが可能である。例えば、第１ミラー６３２および第２ミラー６３３は、互いに異なる方向、例えば互いに直交する方向にそれぞれ延びる軸に対して角度が調整される。第１ミラー６３２および第２ミラー６３３の角度調整には、例えばピエゾモータが用いられる。
【００７２】
ピンホール６３４は、第２ミラー６３３が反射した光が通過する。ピンホール６３４には、予め設定された径の開口が形成されている。
【００７３】
第１反射フィルタ６３５は、予め設定される波長以下の光を反射する。本実施の形態３において、第１反射フィルタ６３５は、６００ｎｍ以下の光を反射し、６００ｎｍより大きい波長の光を通過させる。第１反射フィルタ６３５は、光路において、ピンホール６３４より後段、かつ第２反射フィルタ６３８より前段に設けられる。
【００７４】
第１コリメートレンズ６３６は、一つまたは複数のレンズを用いて構成され、第１反射フィルタ６３５を通過した光を平行光にして、第２反射フィルタ６３８に導光する。
【００７５】
検知部６３７は、光センサを用いて構成され、第１反射フィルタ６３５が反射した光を受光して電気信号に変換する。検知部６３７が生成した電気信号は、光源制御部６２に出力される。
【００７６】
第２反射フィルタ６３８は、予め設定される波長以下の光を反射する。本実施の形態３において、第２反射フィルタ６３８は、６００ｎｍより大きい波長の光を反射し、６００ｎｍ以下の光を通過させる。第２反射フィルタ６３８は、第１出射部６３１と第２出射部６４０との光の出射期間が重複する場合、それぞれから出射された光を合成する合成部材として機能する。
【００７７】
集光レンズ６３９は、一つまたは複数のレンズを用いて構成され、第１出射部６３１から出射され、第２反射フィルタ６３８で反射された光、および、第２出射部６４０から出射され、第２反射フィルタ６３８を通過した光を集光して、ライトガイド７に光を供給する。
【００７８】
第２出射部６４０は、白色光を出射するＬＥＤ光源によって構成される。第２出射部６４０が出射する光は、位相のばらつきが、第１出射部６３１が発する光の位相のばらつきよりも大きい。
【００７９】
第２コリメートレンズ６４１は、一つまたは複数のレンズを用いて構成され、第２出射部６４０が出射した光を平行光にして、第２反射フィルタ６３８に導光する。
【００８０】
以上説明した光源部では、第１出射部６３１から出射された光が、第１ミラー６３２および第２ミラー６３３によって反射され、ピンホール６３４を通過する。ピンホール６３４を通過した光は、第１反射フィルタ６３５に入射し、入射した光の一部が通過し、残りが検知部６３７に反射される。第１反射フィルタ６３５を通過した光は、第１コリメートレンズ６３６、第２反射フィルタ６３８を経由して集光レンズ６３９によって集光され、ライトガイド７に入射する。一方、検知部６３７に入射した光は、光量に応じた値を示す電気信号（信号値）に変換される。
【００８１】
また、第２出射部６４０から出射された光は、第２コリメートレンズ６４１、第２反射フィルタ６３８を経由し、集光レンズ６３９によって集光されて、ライトガイド７に入射する。
本実施の形態３では、光源制御部６２の制御のもと、第１出射部６３１の光によって観察する赤外観察モードと、第２出射部６４０の光によって観察する通常観察モードとのいずれかの観察モードが選択される。すなわち、本実施の形態３では、第１出射部６３１が出射した光のうちの６００ｎｍより大きい波長帯域の光と、第２出射部６４０が出射した光のうち６００ｎｍ以下の波長帯域の光とのいずれかが集光レンズ６３９に入射して集光され、ライトガイド７に入射する。
【００８２】
光源制御部６２は、赤外観察モードにおいて、検知部６３７から電気信号を受け取ると、信号値と、予め設定されている閾値とをもとに、第１ミラー６３２および第２ミラー６３３の調整の要否を判断する。例えば、光源制御部６２は、信号値と閾値との差分を算出し、差分に応じて第１ミラー６３２および第２ミラー６３３の調整の要否を判断する。閾値は、例えば、第１出射部６３１（レーザ光源）の出力と、ピンホール６３４を通過する光量と、第１反射フィルタ６３５の反射特性とから予測される最大受光光量に対応する値が設定される。具体的に、光源制御部６２は、差分の大きさに応じて、第１ミラー６３２および／または第２ミラー６３３の角度を変化させる。第１ミラー６３２と第２ミラー６３３とは、予め両者の動き（傾斜角度）が対応付けられている。
【００８３】
上述した実施の形態３は、第１反射フィルタ６３５を用いて、第１出射部６３１から集光レンズ６３９に導光する光の一部を検知部６３７に入射させるようにしたので、内視鏡を使用している際にも光源装置６から出射される光の光量を検出することができる。
【００８４】
また、上述した実施の形態３によれば、検知部６３７の検知結果に基づいて、第１ミラー６３２および第２ミラー６３３の角度を制御するようにしたので、光の光軸が、本来通過すべき光路に近付くように制御され、照明光としての強度が確保されるように調整することができる。
【００８５】
（実施の形態４）
続いて、本発明の実施の形態４について説明する。図８は、本発明の実施の形態４にかかる内視鏡装置が備える光源装置の構成を示す図である。本実施の形態４において、光源部６１の構成以外は、上述した実施の形態１の内視鏡装置１と同じであるため、説明を省略する。
【００８６】
図８に示す光源部は、複数の第１光源（青色光源６５１Ｂ、緑色光源６５１Ｇ、赤色光源６５１Ｒ）と、第１ミラー６５２Ｂと、第２ミラー６５２Ｇと、第３ミラー６５２Ｒと、第４ミラー６５３と、ピンホール６５４と、第１反射フィルタ６５５と、第１コリメートレンズ６５６と、検知部６５７と、第２反射フィルタ６５８と、集光レンズ６５９と、第２出射部６６１と、第２コリメートレンズ６６２と、を備える。本実施の形態４において、第１光源は第１の出射部に相当し、第１ミラー６５２Ｂ、第２ミラー６５２Ｇ、第３ミラー６５２Ｒおよび第４ミラー６５３は折り曲げ光学系に相当し、第１反射フィルタ６５５は光学部材に相当し、第２出射部６６１は第２の出射部に相当し、第２反射フィルタ６５８は合成部材に相当し、集光レンズ６５９は照明光学系に相当する。第１コリメートレンズ６５６や第２コリメートレンズ６６２は、形成する光学系に応じて適宜配置される。
【００８７】
第１光源は、各々レーザ光源と、光ファイバとによって構成され、レーザ光源が出射した光（レーザ光）が光ファイバの一端に導光され、光ファイバの他端から出射される。
青色光源６５１Ｂは、４５０ｎｍ以上５００ｎｍ以下の波長帯域の光（青色光）を出射する。
緑色光源６５１Ｇは、４９０ｎｍ以上６００ｎｍ以下の波長帯域の光（緑色光）を出射する。
赤色光源６５１Ｒは、５９０ｎｍ以上７５０ｎｍ以下の波長帯域の光（赤色光）を出射する。
【００８８】
第１ミラー６５２Ｂ、第２ミラー６５２Ｇ、第３ミラー６５２Ｒおよび第４ミラー６５３は、入射する光を反射する。第１ミラー６５２Ｂは、４５０ｎｍ以上４９０ｎｍ以下の波長帯域の光を反射する。第２ミラー６５２Ｇは、４９０ｎｍ以上５９０ｎｍ以下の波長帯域の光を反射し、４５０ｎｍ以上４９０ｎｍ以下の波長帯域の光を通過させる。第３ミラー６５２Ｒは、５９０ｎｍ以上７５０ｎｍ以下の波長帯域の光を反射し、４５０ｎｍ以上５９０ｎｍ以下の波長帯域の光を通過させる。第４ミラー６５３は、第３ミラー６５２Ｒを通過した光、および第３ミラー６５２Ｒが反射した光が入射し、その入射した光をピンホール６５４に向けて反射する。第１ミラー６５２Ｂ、第２ミラー６５２Ｇ、第３ミラー６５２Ｒおよび第４ミラー６５３は、光源制御部６２の制御のもと、反射面の向きを変更することが可能である。例えば、第１ミラー６５２Ｂ、第２ミラー６５２Ｇ、第３ミラー６５２Ｒおよび第４ミラー６５３は、予め設定される軸に対して角度が調整される。各ミラーの角度調整には、例えばピエゾモータが用いられる。
【００８９】
ピンホール６５４は、第４ミラー６５３が反射した光が通過する。ピンホール６３４には、予め設定された径の開口が形成されている。
【００９０】
第１反射フィルタ６５５は、予め設定される波長以下の光を反射する。本実施の形態４において、第１反射フィルタ６５５は、緑色光の波長帯域のうちの一部の波長の光を反射し、それ以外の波長帯域の光を通過させる。第１反射フィルタ６５５は、光路において、ピンホール６５４より後段、かつ第２反射フィルタ６５８より前段に設けられる。
【００９１】
第１コリメートレンズ６５６は、一つまたは複数のレンズを用いて構成され、第１反射フィルタ６５５を通過した光を平行光にして、第２反射フィルタ６５８に導光する。
【００９２】
検知部６５７は、光センサを用いて構成され、第１反射フィルタ６５５が反射した光を受光して電気信号に変換する。検知部６５７が生成した電気信号は、光源制御部６２に出力される。
【００９３】
第２反射フィルタ６５８は、例えばハーフミラーによって構成され、入射した光の半分の光を反射し、残りの光を通過させる。第２反射フィルタ６５８によって、第１光源から出射された光と、第２出射部６６１から出射された光とが合成される。
【００９４】
集光レンズ６５９は、一つまたは複数のレンズを用いて構成され、第１コリメートレンズ６５６を通過した光、および、第２出射部６６１から出射され、第２反射フィルタ６５８を通過した光を集光して、ライトガイド７に光を供給する。
【００９５】
第２出射部６６１は、青色光を出射するＬＥＤ光源６６１ａと、黄色（５７０ｎｍ以上５９０ｎｍ以下）の蛍光を発する黄色蛍光体６６１ｂとによって構成される。第２出射部６６１は、青色光と、黄色光とが合成されて白色の光を発する。第２出射部６６１が出射する光は、位相のばらつきが、第１光源（青色光源６５１Ｂ、緑色光源６５１Ｇ、赤色光源６５１Ｒ）が発する光の位相のばらつきよりも大きい。
【００９６】
第２コリメートレンズ６６２は、一つまたは複数のレンズを用いて構成され、第２出射部６６１が出射した光を平行光にして、第２反射フィルタ６５８に導光する。
【００９７】
図９は、本発明の実施の形態４にかかる光源装置が出射する光の波長を説明する図である。図９では、横軸が波長を示し、縦軸が光の強度を示す。
第１光源（青色光源６５１Ｂ、緑色光源６５１Ｇ、赤色光源６５１Ｒ）が出射する光、具体的にピンホール６５４に入射する光は、各光源が出射する光の波長帯域に応じて間欠的な光となる。例えば、図９では、青色光源６５１Ｂが出射した青色光に対応する波形Ｃ11、緑色光源６５１Ｇが出射した緑色光に対応する波形Ｃ12、赤色光源６５１Ｒが出射した赤色光に対応する波形Ｃ13を示す。
第２出射部６６１が出射する光、具体的に第２コリメートレンズ６６２に入射する光は、ブロードな波長帯域の光となる。例えば、図９では、第２出射部６６１が出射した白色光に対応する波形Ｃ20を示す。
第１光源（青色光源６５１Ｂ、緑色光源６５１Ｇ、赤色光源６５１Ｒ）と、第２出射部６６１とを同時に駆動した場合には、図９に示すような波形Ｃ11、Ｃ12、Ｃ13、Ｃ20の光を合成した光がライトガイド７に入射する。第２出射部６６１が出射する光は、第１光源が出射する間欠的な光を補間する。
【００９８】
以上説明した光源部では、第１出射部６５１から出射された光が、第１ミラー６５２Ｂ、第２ミラー６５２Ｇおよび第３ミラー６５２Ｒを経由して第４ミラー６５３によって反射され、ピンホール６５４を通過する。ピンホール６５４を通過した光は、第１反射フィルタ６５５に入射し、入射した光の一部が通過し、残りが検知部６５７に反射される。第１反射フィルタ６５５を通過した光は、第１コリメートレンズ６５６、第２反射フィルタ６５８を経由して集光レンズ６５９によって集光され、ライトガイド７に入射する。一方、検知部６５７に入射した光は、光量に応じた値を示す電気信号（信号値）に変換される。
【００９９】
また、第２出射部６６１から出射された光は、第２コリメートレンズ６６２、第２反射フィルタ６５８を経由し、集光レンズ６５９によって集光されて、ライトガイド７に入射する。
【０１００】
光源制御部６２は、検知部６５７から電気信号を受け取ると、信号値と、予め設定されている閾値とをもとに、第１ミラー６５２Ｂ、第２ミラー６５２Ｇ、第３ミラー６５２Ｒおよび第４ミラー６５３の調整の要否を判断する。例えば、光源制御部６２は、信号値と閾値との差分を算出し、差分に応じて各ミラーの調整の要否を判断する。閾値は、例えば、第１出射部（レーザ光源）の出力と、ピンホール６５４を通過する光量と、第１反射フィルタ６５５の反射特性とから予測される最大受光光量に対応する値が設定される。具体的に、光源制御部６２は、差分の大きさに応じて、第１ミラー６５２Ｂ、第２ミラー６５２Ｇ、第３ミラー６５２Ｒおよび／または第４ミラー６５３の角度を変化させる。
【０１０１】
上述した実施の形態４は、第１反射フィルタ６５５を用いて、第１光源（青色光源６５１Ｂ、緑色光源６５１Ｇ、赤色光源６５１Ｒ）から集光レンズ６５９に導光する光の一部を検知部６５７に入射させるようにしたので、内視鏡を使用している際にも光源装置６から出射される光の光量を検出することができる。
【０１０２】
また、上述した実施の形態４によれば、検知部６５７の検知結果に基づいて、第１ミラー６５２Ｂ、第２ミラー６５２Ｇ、第３ミラー６５２Ｒおよび第４ミラー６５３の角度を制御するようにしたので、光の光軸が、本来通過すべき光路に近付くように制御され、照明光としての強度が確保されるように調整することができる。
【０１０３】
なお、上述した実施の形態４では、検知部６５７の検知結果に基づいて、第１ミラー６５２Ｂ、第２ミラー６５２Ｇ、第３ミラー６５２Ｒおよび第４ミラー６５３の角度を制御する例を説明したが、少なくとも一つのミラーの角度を調整する構成としてもよい。
【０１０４】
また、上述した実施の形態４では、緑色光の波長帯域のうちの一部の波長の光が検知部６５７に入射し、検知部６５７が、この光に基づく電気信号を出力する例を説明したが、第１反射フィルタ６５５が、例えばピンホール６５４を通過した光の２％を反射して残りを通過させ、検知部６５７が、第１光源が出射したすべての波長の光を含む、一部の光を受光する構成としてもよい。
【０１０５】
また、検知部６５７を、二次元的に光を受光可能な撮像素子等で構成し、ピンホール６５４を通過した光に対して二次元的な光の分布を検知する構成としてもよい。撮像素子が色ごとの光を受光することができれば、色ごとに光の強度等を検知して、第１ミラー６５２Ｂ、第２ミラー６５２Ｇおよび第３ミラー６５２Ｒを個別に制御することも可能である。
【０１０６】
（実施の形態５）
続いて、本発明の実施の形態５について説明する。図１０は、本発明の実施の形態５にかかる内視鏡装置が備える光源装置の構成を示す図である。本実施の形態５において、光源部６１の構成以外は、上述した実施の形態１の内視鏡装置１と同じであるため、説明を省略する。
【０１０７】
図１０に示す光源部は、出射部６１１と、ピンホール６１４と、反射フィルタ６１５と、集光レンズ６１６と、検知部６１７とを備える。本実施の形態５にかかる光源部は、実施の形態１にかかる光源部６１に対して第１ミラー６１２および第２ミラー６１３を有していない点で異なる。それ以外の構成は、実施の形態１と同じである。以下、実施の形態１とは異なる部分について説明する。
【０１０８】
出射部６１１は、ピンホール６１４に光を入射する。また、出射部６１１は、光源制御部６２の制御のもと、光ファイバ６１１ｂの出射端の向きが変更される。出射部６１１では、例えば、光源制御部６１の制御によって、光ファイバ６１１ｂの長手軸の角度が変化したり、レーザ光源６１１ａおよび光ファイバ６１１ｂを移動させて、光出射位置を変化したりする。
【０１０９】
光源制御部６２は、検知部６１７から電気信号を受け取ると、信号値と、予め設定されている閾値とをもとに、出射部６１１の調整の要否を判断する。例えば、光源制御部６２は、実施の形態１と同様にして、信号値と閾値との差分を算出し、差分に応じて出射部６１１の調整の要否を判断する。光源制御部６２は、出射部６１１の調整が必要であると判断すると、出射部６１１による光出射方向を制御する。
【０１１０】
上述した実施の形態５は、実施の形態１と同様、反射フィルタ６１５を用いて、集光レンズ６１６に導光する光の一部を検知部６１７に入射させるようにしたので、内視鏡を使用している際にも光源装置６から出射される光の光量を検出することができる。
【０１１１】
また、上述した実施の形態５によれば、検知部６１７の検知結果に基づいて、出射部６１１から出射される光の出射方向を制御するようにしたので、光の光軸が、本来通過すべき光路に近付くように制御され、照明光としての強度が確保されるように調整することができる。
【０１１２】
ここまで、本発明を実施するための形態を説明してきたが、本発明は上述した実施の形態によってのみ限定されるべきものではない。上述した実施の形態では、制御装置５が信号処理などを行うものとして説明したが、カメラヘッド９側で行うものであってもよい。
【０１１３】
また、上述した実施の形態１〜４では、検知部に光を導光する反射フィルタが、光を反射する構成を例に説明したが、反射フィルタに代えて偏光板とし、特定の方向の光を反射、通過させる構成としてもよい。
【０１１４】
また、上述した実施の形態１、３、４では、ピンホールを設けて、このピンホールを通過した光の強度を検出する構成を例に説明したが、実施の形態２のように、ピンホールを有しない構成としてもよい。また、実施の形態２において、ピンホールを設けた構成としてもよい。
【０１１５】
また、上述した実施の形態１〜４では、ミラーの角度を調整する例について説明したが、ミラーの角度調整に代えて出射部の光出射位置や角度を変更するようにしてもよい。
【０１１６】
また、上述した実施の形態１〜４では、ミラーによって反射された光を検知部が検知し、ミラーを透過した光が集光レンズに入射する例について説明したが、ミラーによって反射された光が集光レンズに入射し、ミラーを透過した光を検知部が検知する構成としてもよい。
【０１１７】
以上のように、本発明にかかる内視鏡用光源装置は、簡易な構成で光源装置から出射される光の光量を調整するのに有用である。
【符号の説明】
【０１１８】
１  内視鏡装置
２  内視鏡
３  撮像装置
４  表示装置
５  制御装置
６  光源装置
７  ライトガイド
８  伝送ケーブル
９  カメラヘッド
５１  信号処理部
５２  画像処理部
５３  通信モジュール
５４  入力部
５５  出力部
５６  制御部
５７  メモリ
６１  光源部
６２  光源制御部
９１  レンズユニット
９２  撮像部
９３  通信モジュール
９４  カメラヘッド制御部
６１１、６１１Ａ  出射部
６１２、６３２、６５２Ｂ  第１ミラー
６１３、６３３、６５２Ｇ  第２ミラー
６１４、６３４  ピンホール
６１５、６１５Ａ  反射フィルタ
６１６、６３９、６５９  集光レンズ
６１７、６３７、６５７  検知部
６３１  第１出射部
６３５、６５５  第１反射フィルタ
６３６、６５６  第１コリメートレンズ
６３８、６５８  第２反射フィルタ
６４０、６６１  第２出射部
６４１、６６２  第２コリメートレンズ
６５１Ｂ  青色光源
６５１Ｇ  緑色光源
６５１Ｒ  赤色光源
６５２Ｒ  第３ミラー
６５３  第４ミラー
【図１】
2020141907.tif 000003
【図２】
2020141907.tif 000004
【図３】
2020141907.tif 000005
【図４】
2020141907.tif 000006
【図５】
2020141907.tif 000007
【図６】
2020141907.tif 000008
【図７】
2020141907.tif 000009
【図８】
2020141907.tif 000010
【図９】
2020141907.tif 000011
【図１０】
2020141907.tif 000012